(57)【要約】      （修正有）【課題】自動販売機の横に設置されている廃棄ボックスをそのまま使用して、無駄にされている廃棄ボックスの上方空間を有効利用できる新規な製品を提供する。【解決手段】自動販売機１に隣接して設置されたビン・カン類の廃棄ボックスの上方空間を有効利用して無料配布物を陳列する棚を備えた陳列ラック兼廃棄ボックス収容函１０であって、廃棄ボックスを、廃棄物を取出し可能に収容する空間を擁する廃棄ボックス収容部１２と、廃棄ボックス収容部１２上に連設された、収容部１２と略同じ幅を有する無料配布物を陳列するラック部１４とからなる。【選択図】図１
2008129999.tif 000002
【特許請求の範囲】
【請求項１】
自動販売機に隣接して設置されたビン・カン類の廃棄ボックスの上方空間を有効利用して無料配布物を陳列する棚を備えた陳列ラック兼廃棄ボックス収容函であって、
前記廃棄ボックスを、廃棄物を取出し可能に収容する空間を擁する廃棄ボックス収容部と、
該廃棄ボックス収容部上に連設された、該収容部と略同じ幅を有する無料配布物を陳列するラック部とからなることを特徴とする自動販売機用陳列ラック兼廃棄ボックス収容函。
【請求項２】
前記廃棄ボックス収容部が、既存の廃棄ボックスをそのまま収容し、廃棄物を取り出すときには該廃棄ボックスを手前に引き出すことができる開口部を前面に有しているものであることを特徴とする請求項１記載の自動販売機用陳列ラック兼廃棄ボックス収容函。
【請求項３】
前記開口部が開閉可能な扉を前面に備え、該扉は、閉じたときには前記廃棄ボックスのビン・カン類の投入口を露出する投入用開口を備えたものであることを特徴とする請求項２記載の自動販売機用陳列ラック兼廃棄ボックス収容函。
【請求項４】
前記廃棄ボックス収容部が、既存の廃棄ボックスの蓋を外した本体のみを収容し、廃棄物を取り出すときには該本体を手前に引き出すことができる開口部を前面に有しているものであることを特徴とする請求項１記載の自動販売機用陳列ラック兼廃棄ボックス収容函。
【請求項５】
前記開口部が開閉可能な扉を前面に備え、該扉は、閉じたときには前記廃棄ボックスの本体にビン・カン類を投入する投入用開口を備えたものであることを特徴とする請求項４記載の自動販売機用陳列ラック兼廃棄ボックス収容函。
【請求項６】
前記ラック部が、陳列する無料配布物を風雨から保護するカバー等の保護手段を備えたものであることを特徴とする請求項１から５いずれか記載の自動販売機用陳列ラック兼廃棄ボックス収容函。
【請求項７】
前記ラック部が、陳列する無料配布物を雨から保護する軒付の屋根を備えたものであることを特徴とする請求項１から６いずれか記載の自動販売機用陳列ラック兼廃棄ボックス収容函。
【請求項８】
高さを自動販売機と同じにしたことを特徴とする請求項１から７いずれか記載の自動販売機用陳列ラック兼廃棄ボックス収容函。
【発明の詳細な説明】
【技術分野】
【０００１】
本発明は、自動販売機に隣接して設置されたビン・カン類の廃棄ボックスの上方空間を有効利用して無料配布物を陳列する棚を備えた新規な自動販売機用陳列ラック兼廃棄ボックス収容函に関するものである。
【背景技術】
【０００２】
飲料等の自動販売機が広く普及して、街角やビル内に多数設置されているが、その横には、そこで購入した飲料のビンやカンを廃棄するための廃棄ボックスが隣接して設置されている。
【０００３】
これまで、その廃棄ボックスの上方空間を有効利用したものは実現していない。
【発明の開示】
【発明が解決しようとする課題】
【０００４】
自動販売機が設置されている場所は、いずれも占有面積にコストがかかる街角等の屋外やビル内が多いが、ビン・カン類の廃棄ボックスの上方空間はまったく何にも利用されておらず無駄となっているのが現状である。それはある意味、国土の損失である。
【０００５】
これまで自動販売機は広く普及しているが、その廃棄ボックスの上方空間を有効利用したものは実現していない。それは、上部が曲面となった廃棄ボックスの上には、安定して物を置くことができないことも原因の一つであると考えられる。また仮にそこに棚を設置したところで、適当な用途が思いつかなかったことも原因の一つであろうと推測される。
【０００６】
本発明は、その無駄にされている廃棄ボックスの上方空間を有効利用できる新規な製品を提供し、国土の有効利用を可能とすることを課題とするものである。
【０００７】
本発明は、以上の点に鑑みてなされたものであり、自動販売機に隣接して設置されている廃棄ボックスをそのまま使用して、従来無駄にされている廃棄ボックスの上方空間を有効利用することを目的とするものである。
【課題を解決するための手段】
【０００８】
本発明は、自動販売機に隣接して設置されたビン・カン類の廃棄ボックスの上方空間を有効利用して無料配布物を陳列する棚を備えた陳列ラック兼廃棄ボックス収容函を提供するものであって、廃棄ボックスを、廃棄物を取出し可能に収容する空間を擁する廃棄ボックス収容部と、廃棄ボックス収容部上に連設された、廃棄ボックス収容部と略同じ幅を有する無料配布物を陳列するラック部とからなることを特徴とするものである。
【０００９】
ここで、廃棄ボックス収容部とは、既存の廃棄ボックスの周囲を囲み、廃棄ボックスをそのまま収容するもので、廃棄ボックスに手を加える必要がないものである。
【００１０】
この廃棄ボックス収容部は、既存の廃棄ボックスをそのまま収容し、廃棄物を取り出すときには廃棄ボックスを手前に引き出すことができる開口部を前面に有しているものでもよいし、既存の廃棄ボックスの蓋を外した本体のみを収容し、廃棄物を取り出すときには本体を手前に引き出すことができる開口部を前面に有しているものでもよい。
【００１１】
前者の場合は、前記開口部が開閉可能な扉を前面に備え、その扉は、閉じたときに廃棄ボックスのビン・カン類の投入口を露出する投入用開口を備えたものとするのが望ましい。閉じたときに投入口を露出する投入用開口を備えるというのは、扉がその部分に投入用開口を備えたものと、扉をその部分を除いた大きさのものとしたもののいずれでもよいという意味である。
【００１２】
後者の場合は、前記開口部が開閉可能な扉を前面に備え、その扉は、閉じたときに廃棄ボックスの本体にビン・カン類を投入する投入用開口を備えたものとするのが望ましい。この場合も、閉じたときに投入口を露出する投入用開口を備えるというのは、扉がその部分に投入用開口を備えたものと、扉をその部分を除いた大きさのものとしたもののいずれでもよいという意味である。
【００１３】
また、前記ラック部は、屋外に設置された自動販売機に設置するときは、陳列する無料配布物を風雨から保護するカバー等の保護手段を備えたものであることが望ましい。この保護手段としては、ラックの棚の一つ一つに扉を付けたものとしてもよいし、透明のプラスチックのカバーを取出し口に垂下させたものでもよいし、あるいはラック部の全体の前面にカバーを垂下させたものでもよい。屋外に設置されるものの場合は、さらにラック部が陳列する無料配布物を雨から保護する軒付の屋根を備えたものであることが望ましい。
【００１４】
なお、高さは自動販売機と同じにするのが望ましい。
【発明の効果】
【００１５】
本発明の自動販売機用陳列ラック兼廃棄ボックス収容函は、既存の自動販売機に隣接して設置されたビン・カン類の廃棄ボックスの不安定な上面に載せるものではなく、廃棄ボックスに何ら手を加えることなく廃棄ボックスを収容する収容部を備えたものであるから、容易にその上方空間を有効利用する棚を設置することができる。また、その棚には無料配布物を陳列するようにしたものであるから、自動販売機がどこにあっても、これまで利用されていなかった廃棄ボックスの無駄な上方空間を有効に利用することを可能にすることができる。また、無料配布物を陳列するラック部が廃棄ボックス収容部の上方にあるので、自動販売機を使用する人の目に付き易く、無料配布物の配布の効果を向上させることができる。
【００１６】
また、廃棄ボックス収容部は、廃棄ボックスを、廃棄物を取出し可能に収容する空間を擁するものであるから、廃棄ボックスをその収容空間から取り出して溜まった廃棄物を容易に廃棄することができる。
【００１７】
また、自動販売機用陳列ラック兼廃棄ボックス収容函が、カバー等の保護手段や軒付の屋根を備えている場合は、陳列する無料配布物を風雨から確実に保護することができる。
【００１８】
さらに、廃棄ボックス収容部上には収容部と略同じ幅を有する無料配布物の陳列用ラック部が連設されているから、余計な面積を占有することもなく、無駄なく空間を有効に利用することができる。特にその高さを自動販売機と同じにした場合には、横方向だけでなく、縦方向にも余計な空間を占有することなく、無駄なく空間を有効に利用することができるとともに、見栄えもよいものである。
【発明を実施するための最良の形態】
【００１９】
以下、本発明の自動販売機用陳列ラック兼廃棄ボックス収容函（以下、単に収容函という）の最良の実施の形態について、添付図を参照して詳細に説明する。図１は、本発明の一例として第１の実施形態を示す、既存の自動販売機に取り付けられた収容函の斜視図であり、図２は図１のII-II線に沿う収容函の断面図である。なお、図２では自動販売機は省略されている。以下、図１および図２を参照して説明する。図１中、１で示すのは、自動販売機であり、１０で示すのは、自動販売機１に取り付けられた収容函である。自動販売機１は、図１に示すように、一般的に矩形縦型であり、サイズは幅約９９ｃｍ、高さ約１８３ｃｍ、奥行き３２〜７２ｃｍ程度である。自動販売機１は、その前面に、例えば、飲料容器（ビン、カン）などのサンプルを配置してある表示部１ａと、この表示部1ａの下部近傍に配置されたコインの投入口１ｂと、自動販売機1の下部に商品取出口１ｃとを有するのが一般的である。自動販売機１は、その底部の四隅に下方に向けて突設された支脚１ｄにより地面９に設置されている。なお、以下の説明において、表示部１ａが表示されている側を前部あるいは前方と称し、反対側を後部あるいは後方と称するものとする。
【００２０】
収容函１０は、自動販売機１と同じ高さを有し、廃棄ボックス収容部１２と、この廃棄ボックス収容部１２の上に位置するラック部１４と、このラック部１４の上に取り付けられた屋根１６とを有する。収容函１０は、金属、木、合成樹脂等適宜材料から構成することができ、これらの材料から一体にあるいは組み合わせて製作される。合成樹脂で構成する場合は、収容函１０全体を透明（スケルトン）にして、内容物の確認を容易にするとともに、周囲の環境に配慮してあまり目立たないようにしてもよい。また、スケルトンにすることで暗いところに手を入れる使用者の不安感をなくすことができる。廃棄ボックス収容部１２は、この実施形態では、直立する４本の脚１２ａと、前部を除きこれらの隣接する脚１２ａを互いに連結して補強する連結棹１２ｂとを有する。廃棄ボックス収容部１２の前部は前方に開放した開口部１８となっている。廃棄ボックス５０（図４）をこの開口部１８から廃棄ボックス収容部１２の中に押し入れたり、廃棄物５２（図４）を廃棄する際に、開口部１８から手前に引き出したりするようになっている。脚１２ａのうち自動販売機１に近接する少なくとも１つの脚１２ａの下部は、自動販売機１の支脚１ｄと、連結具２０により連結されて、自動販売機１に固定されている（図１）。従って、収容函１０の縦長の形状にもかかわらず、収容函１０は安定した状態に設置される。連結具２０の詳細については後述する。
【００２１】
廃棄ボックス収容部１２の上に位置するラック部１４は、廃棄ボックス収容部１２と略同じ幅で廃棄ボックス収容部１２と一体的に設けられあるいは別体に廃棄ボックス収容部１２に固設される。このラック部１４には、無料配布物（フリーペーパー）２２等を収納、陳列する４つの陳列ラック１４ａが形成されている。図３にこの陳列ラック１４ａの一部を拡大した斜視図を示す。なお、図３において、無料配布物２２を収容する矩形部分は、陳列ラック１４ａの内法部分を示す。この内法部分の寸法は、例えば、幅２２ｃｍ、高さ３０ｃｍ、奥行３２〜４２ｃｍ程度に設定される。各陳列ラック１４ａには底板すなわち棚１４ｂ（図２）があり、この棚１４ｂに、例えば公告チラシ等の無料配布物２２が積層、収容されており、ほしい人は自由に入手することができる。各陳列ラック１４ａには、自動販売機１が屋外に配置されている場合に、無料配布物２２を風雨から防ぐ保護手段として、カバー２４が、ヒンジ２４ａを介してラック部１４の枠体１５に開閉可能に取り付けられている。カバー２４は、ばね付勢されて通常は、閉じていることが好ましい。また、カバー２４の周囲にはシール部材（図示せず）が設けられ、閉じたときに陳列ラック１４ａをシールして、陳列ラック１４ａの内部に雨滴等が侵入しないようにすることが望ましい。カバー２４は、例えば、外部から内容物を視認可能な透明合成樹脂とすることができる。また、カバー２４には、指で摘んでカバー２４の開閉を容易にするノブ２４ｂが設けられており、内容物の収納および取り出しを容易にしている。カバー２４には、無料配布物２２の内容がわかるような、文字、絵、写真等を表示してもよい。
【００２２】
ラック部１４の上に形成された屋根１６は、一端が自動販売機１と同じ高さにあり、他端が自動販売機１から離れるに従って下方に傾斜している。この屋根１６は、収容函１０の前後方向および外方（図１において右側）にラック部１４より寸法が大きくなって軒を構成している。また、屋根１６の前側には上方へ折返された折返し部１６ａが形成されており、軒と相俟って雨等の水滴がラック部１４および収容函１０の前で無料配布物２２を取り出そうとする人にかかるのを防止している。
【００２３】
次に、図４から図７を参照して、図１の廃棄ボックス収容部１２およびその変形例について説明する。なお、変形例の説明にあたり、廃棄ボックス収容部１２と同一部品については、同一参照番号を使用して説明する。図４は、廃棄ボックス収容部１２内に廃棄ボックス５０を収容した状態を示す収容函１０の部分斜視図である。廃棄ボックス５０は、上方が開口した箱状の本体５０ａと、本体５０ａの上部に載置された蓋５０ｂとを有する。蓋５０ｂの前部にはビンやカンを投入する投入口５０ｃが形成されている。廃棄ボックス収容部１２のサイズは、一般的な既存の廃棄ボックス５０を収納できるように、廃棄ボックス収容部１２の内法の寸法で、幅ｗが約３８〜４０ｃｍ、高さｈが約９０ｃｍ、奥行ｄが約３２〜４２ｃｍに設定されている。廃棄ボックス５０は、このように廃棄ボックス収容部１２にその前面から押し込んで収容される。廃棄ボックス５０の上方のスペース（空間）はラック部１４によって有効に利用される。廃棄ボックス５０の内容物すなわち廃棄物５２を廃棄するときは、廃棄ボックス５０を開口部１８から引き出し、蓋５０ｂを開けて廃棄物５２を廃棄することができる。また、廃棄ボックス５０を戻すときは、廃棄ボックス５０を開口部１８から廃棄ボックス収容部１２に押し入れればよい。
【００２４】
次に、図５に廃棄ボックス収容部１２の変形例を示す。図５に示す廃棄ボックス収容部１２’は、収容函１０’の前面の開口部１８に扉３０を設けたものである。扉３０は、開口部１８の全体を閉鎖するものではなく、前述の廃棄ボックス５０の投入口５０ｃが露出するように廃棄ボックス収容部１２’の上部が開放した寸法を有している。これにより、扉３０の上部には投入用開口１８ａが形成され、使用済みのビンやカンをこの投入用開口１８ａから廃棄ボックス５０の投入口５０ｃに投入することができる。扉３０は、ヒンジ３０ｂにより脚１２’ａに開閉可能に結合されており、指で摘む取っ手３０ａがヒンジ３０ｂの反対側に設けられている。図５では、投入用開口１８ａは矩形の空間として確保されているが、扉のサイズを廃棄ボックス収容部１２の開口部１８の全体を覆う寸法とし、この扉に廃棄ボックス５０の投入口５０ｃに対応する位置に投入口５０ｃより大きな開口を設けてもよい。また、扉３０には鍵がかかるようにして、管理者以外は扉３０を開けることができないようにしてもよい。
【００２５】
また、廃棄ボックス５０の使用形態として、図６に示すように、蓋５０ｂを取り外した状態で、廃棄ボックス収容部１２に配置して使用することもできる。図６は、図４における廃棄ボックス収容部１２に廃棄ボックス５０の本体５０ａのみを配置した状態を示す部分斜視図である。この使用態様では、廃棄ボックス５０の上方開口５０ｄに使用済みのビン等を投入することになる。また、図５に示した変形例の廃棄ボックス収容部１２’の場合においても、図７に示すように廃棄ボックス５０の本体５０ａのみの使用も可能である。図７は、図５に示す変形例の廃棄ボックス収容部１２’内に廃棄ボックス５０の本体５０ａのみを収容した状態を示す部分斜視図である。この使用例の場合は、扉３０の上に位置する投入用開口１８ａから本体５０ａの上方開口５０ｄに、ビンやカンを投入することができる。
【００２６】
次に、図８〜図１０を参照して、収容函１０を自動販売機１に取付けるための連結具２０について説明する。図８は図１の矢視VIIIで示す部分を拡大して示す連結具の部分拡大図であり、図９は、図８のIX-IX線に沿う断面図であり、図１０は連結具の変形例を示す平面図である。図８に示すように、自動販売機１の支脚１ｄは、台１ｅを介して地面９に載置される。図８および図９に示すように、連結具２０は、一端に雄ねじ２０ｂが形成され、他端に固定部２０ｃが設けられた金属製の丸棒すなわち棒状部２０ａを有する。棒状部２０ａは、一端側が廃棄ボックス収容部１２の脚１２ａの貫通孔１３に挿通され、貫通孔１３から突出した雄ねじ２０ｂにナット２６が螺合される。他方、固定部２０ｃは、金属製の帯状板材を環状に折り曲げ形成したものが、例えば溶接により棒状部２０ａの他端に取り付けられる。固定部２０ｃには環状の板材の両先端部が、互いに平行に外側に突出した延長部２０ｄとして形成されている。この延長部２０ｄには、延長部２０ｄを互いに接近させて固定部２０ｃの直径を縮小可能なネジ部２０ｅが設けられている。このネジ部２０ｅは、例えば、ボルトとこのボルトに螺合する蝶ネジの組合せから構成される。固定部２０ｃは自動販売機１の支脚１ｄの周りを囲むように取り付けられ、ネジ部２０ｅの操作により支脚１ｄに締め付けられて支脚１ｄに固定される。連結具２０の一端側においてもナット２６で脚１２ａに固定されているので、収容函１０は自動販売機１に確実に固定される。連結具２０は、自動販売機１の前面側に突出することはないので、廃棄ボックス５０が廃棄ボックス収容部１２内に配置されることと相俟って、自動販売機１を操作する人、或いは通行人の邪魔になることはない。
【００２７】
また、図１０は、変形例の連結具２０’を示す平面図である。この連結具２０’は、棒状部２０’ａがパイプ状である点のみが相違する。また、さらに他の変形例として、棒状部を角柱状あるいは角パイプ状とすることもできる。
【００２８】
次に図１１を参照して、本発明の第２の実施形態の収容函について説明する。図１１は本発明の第２の実施形態の収容函を示す斜視図である。なお、説明に当たり、図1と同じ部品については、同じ参照番号を付して説明する。図１１に示す収容函６０は、図1と同様な脚６２ａを有する廃棄ボックス収容部６２と、ラック部６４と、屋根６６とを有する。第２の実施形態の収容函６０が、第１の実施形態の収容函１０と異なる点は、ラック部６４と、屋根６６の形状である。ラック部６４は縦長の直方形であり、屋根６６はこのラック部６４の上に自動販売機１と同じ高さで水平に設置されている。この屋根６６の前端にも第１の実施形態と同様に折返し部を設けてもよい。
【００２９】
ラック部６４には、横長の陳列ラック６４ａと、縦長の陳列ラック６４ｂが組み合わせて配置されている。陳列ラック６４ａ、６４ｂには、風雨の進入を阻止するようにそれぞれカバー７４ａ、７４ｂが取り付けられている。横長のカバー７４ａにはカバー７４ａの上側にヒンジが取り付けられて、上方にカバー７４ａを開くようになっており、縦長のカバー７４ｂはその左側にヒンジが取付けられて水平方向に開くようになっている。これらのカバー７４ａ、７４ｂも、図示しないばねにより通常は閉じているようにばね付勢されている。横長の陳列ラック６４ａには無料配布物が積層され、縦長の陳列ラック６４ｂには、無料配布物が縦置きに配置される。第２の実施形態では、横長の陳列ラック６４ａと、縦長の陳列ラック６４ｂを組み合わせた場合について示しているが、変形例として、横長の陳列ラック６４ａだけを上下方向に配置してもよいし、或いは縦長の陳列ラック６４ｂだけを左右方向に配置し且つ上下に複数段配置してもよい。また、各陳列ラックの大きさを変えてももちろんよい。
【００３０】
以上、本発明の一例として、収容函１０、１０’および６０について詳細に説明したが、上記実施形態に限定されるものではなく、種々の変形、変更が可能であることはいうまでもない。例えば、ラック部１４、６４内の無料配布物２２の保護手段として、陳列ラック１４ａ、６４ａ、６４ｂに、ぞれぞれ個別にカバー２４、７４ａ、７４ｂを設ける代わりに、ラック部１４、６４の前面全体を一括して覆う、例えば、透明なシート状のカバーを無料配布物２２の保護手段として用いてもよい。
【００３１】
また、脚１２ａ、６２ａを、例えば上下方向にスライド可能にして、その長さを変えてねじ止め等により固定するようにすれば、どのような高さのゴミ箱にも対応できる。また、一部の陳列ラックを、ゴミ袋、軍手、タオル等の収納スペースに使用するような使い方もできる。これにより、収容函１０、６０を設けたことによって、ゴミ箱、或いは、自動販売機１の取り扱いの利便性を向上させることができる。
【００３２】
また、収容函１０、６０の自動販売機１への固定は、連結具２０に追加して吸盤（図示せず）を使用してもよい。すなわち、収容函１０、６０に自動販売機１に向けて設けた吸盤を自動販売機１に吸着して固定の補助としてもよい。さらに、自動販売機１から離れた側に位置する脚１２ａ、６２ａの下部に地面９や床（図示せず）に固設するための金具等の固定手段を追加的に設けてもよい。
【００３３】
また、屋根１６、６６に太陽電池パネルを配置し、或いは屋根自体を太陽電池パネルとして、自動販売機１が使用する電力を発電するようにしてもよい。また、屋根の形状は、上記実施形態の他、幅方向の中央が高くなり両側が下方に傾斜した、いわゆる山型形状であってもよい。また、各陳列ラックの上部に個別に小さな屋根を追加的に突設して、風雨の進入を一層防止するようにしてもよい。
【図面の簡単な説明】
【００３４】
【図１】本発明の第１の実施形態を示す、既存の自動販売機に取り付けられた自動販売機用陳列ラック兼廃棄ボックス収容函の斜視図
【図２】図１のII-II線に沿う、自動販売機用陳列ラック兼廃棄ボックス収容函の断面図。なお、図２では自動販売機は省略されている。
【図３】図１に示す自動販売機用陳列ラック兼廃棄ボックス収容函の陳列ラックの一部の拡大斜視図
【図４】図１の自動販売機用陳列ラック兼廃棄ボックス収容函の廃棄ボックス収容部内に廃棄ボックスを収容した状態を示す部分斜視図
【図５】廃棄ボックス収容部の変形例を示す部分斜視図
【図６】図４における廃棄ボックス収容部に廃棄ボックスの本体のみを配置した状態を示す部分斜視図
【図７】図５に示す変形例の廃棄ボックス収容部内に廃棄ボックスの本体のみを収容した状態を示す部分斜視図
【図８】図１の矢視VIIIで示す部分を拡大して示す連結具の部分拡大図
【図９】図８のIX-IX線に沿う連結具の断面図
【図１０】連結具の変形例を示す平面図
【図１１】本発明の第２の実施形態の自動販売機用陳列ラック兼廃棄ボックス収容函を示す斜視図。
【符号の説明】
【００３５】
１    自動販売機
１０、１０’、６０    自動販売機用陳列ラック兼廃棄ボックス収容函
１２、１２’、６２    廃棄ボックス収容部
１４、６４    ラック部
１４ｂ    棚
１６、６６    屋根
１８    開口部
１８ａ    投入用開口
２２    無料配布物
２４、７４ａ、７４ｂ    カバー
３０    扉
５０    廃棄ボックス
５０ａ    本体
５０ｂ    蓋
５０ｃ    投入口
５２    廃棄物
【図１】
2008129999.tif 000003
【図２】
2008129999.tif 000004
【図３】
2008129999.tif 000005
【図４】
2008129999.tif 000006
【図５】
2008129999.tif 000007
【図６】
2008129999.tif 000008
【図７】
2008129999.tif 000009
【図８】
2008129999.tif 000010
【図９】
2008129999.tif 000011
【図１０】
2008129999.tif 000012
【図１１】
2008129999.tif 000013